(57)【要約】【課題】二輪車の軽快性を損なうことなく、転倒防止機能を高めた、前後に幼児２人を乗せた３人乗りにも供する安全性の高い走行安定二輪車を提供する。【解決手段】後輪部に左右連動のトレーリングアームとストラットを備えたトレーリングアーム式懸架装置に補助輪を設けた二輪車において、該トレーリングアームを回動自在に支持するための支軸が、側面視でチエンステイの下部であり、後輪タイヤの外径線の外前側、かつ平面視で左右のペダル及びクランクアームのそれぞれの回転軌跡の内幅間隔内に設け、また前記トレーリングアームが略水平に配置され、前記ストラットの上部を、前記チエンステイ及び/またはその他の後部車体部材に直接またはブラケットを介して取付けし、下部を前記トレーリングアームに取付ける。【選択図】   図１
2010162943.tif 000002
【特許請求の範囲】
【請求項１】
後輪部に左右連動のトレーリングアームとストラットを備えたトレーリングアーム式懸
架装置に補助輪を設けた二輪車において、
該トレーリングアームを回動自在に支持するための支軸が、側面視でチエンステイの下部であり、後輪タイヤの外径線の外前側、かつ平面視で左右のペダル及びクランクアームのそれぞれの回転軌跡の内幅間隔内に設けられ、
また前記トレーリングアームが略水平に配置され、
前記ストラットの上部が、前記チエンステイ及び/またはその他の後部車体部材に直接またはブラケットを介して取付けされ、下部が前記トレーリングアームに取付けされていることを特徴とする走行安定二輪車。
【請求項２】
前記左右のトレーリングアームには、その後端部外側に、前記補助輪を回転自在に支持する車軸が左右方向に交差して固定され、該車軸の前方にストラットの下部を取付ける取り付け部材が設けられ、
また、左右のチエンステイの下面に直接または支持部材を介して円筒が左右方向水平に取付けされ、該円筒内に、前記トレーリングアームを回動自在に支持するための支軸が挿通され、該支軸の両端部に、前記左右のトレーリングアームの前端部がそれぞれ回動不能に固定されていることを特徴とする請求項１に記載の走行安定二輪車。
【請求項３】
前記ストラットは、上側と下側の２つの閉鎖板によってその上下端部が閉鎖された円筒体と、
該内筒体の軸芯部に配置され、上端側が前記内筒体の上側の閉鎖板を貫通し、上端部にマウント部品が取付けられたロッドと、
該ロッドの下端部に固定され、該円筒体の内面を軸方向に摺動するピストンと、
前記円筒体の上側の閉鎖板と上側のマウント部品との間で、前記ロッドが軸芯を貫通するように設けられたバネ部材とを有し、
該ストラットの圧縮にしたがって荷重―タワミ特性が非線形に立上がることを特徴とする請求項１または２に記載の走行安定二輪車。
【請求項４】
左右のスタンドアームの上下方向の略中央部から側面視で前方に略Ｊ字状に延びる固定面が形成された固定部材付きのスタンドを備え、    
前記走行安定二輪車を該スタンドにより直立させると、
前記固定部材の固定面が、前記左右のトレーリングアームの後端部において左右方向に交差し内側に延びる支持部材または前記補助輪の車軸を押下げまたは押下げないで前記後輪と補助輪が接地した直進走行状態のままで固定し、前記左右の補助輪の上向き移動を固定して、
該補助輪が前記走行安定二輪車の転倒防止に寄与することを特徴とする請求項１乃至３のいずれか１に記載の走行安定二輪車。
【請求項５】
レバー操作により一の端面が多段の段付きカムの作用面と近接または離間するように回動するハンドルレバーが取付けられた第１ケースと、
該第1ケースと接合し、その接合面に直交するように略中央部にガイド孔の設けられた第２ケースと、
該第２ケースのガイド孔に嵌挿され該ガイド孔の軸方向に摺動し、前記第２ケース内側
に位置する端部に前記多段の段付きのカムが固定されたロッドと、
前記第２ケースの外側に位置する前記ロッドの他端部に固定された操作ボタンと、
該操作ボタンと前記第２ケースの外壁との間に設けられ、前記カムを前記ハンドルレバ
ーの一の端面と離間させるスプリングを備え、
前記ハンドルレバーをグリップ操作しながら、前記操作ボタンをプッシュ操作し、その
後前記ハンドルレバーのグリップ操作を解除すれば、前記ハンドルレバーの一の端面と前
記カムの作用面とが係合して、前記前輪及び/または後輪の制動状態が維持され、その後
再度前記ハンドルレバーをグリップ操作すれば前記係合が外れて、該前輪及び/または後
輪の制動状態が解除されることを特徴とする請求項１乃至４のいずれか１に記載の走行安定二輪車。
【請求項６】
ハンドル軸の上方であり、平面視でハンドルバーの略回転操作移動枠内、かつ前輪操舵時の非可動部に、幼児用の前補助椅子及び/または前荷台用スペースを設け、
上端部がハンドルバーに結合された縦部材と、
該縦部材の下端部から後方へ延び、前端部が該縦部材に結合され、後端部が前記ハンドル軸及び/または前フォークに結合された前後支持部材と、
前記ハンドル軸に回転不能に結合された前フォークに加え、前記縦部材と一体的に構成され、または上端部が前記前後支持部材を介して前記縦部材に結合され、下端部に前車軸が結合された上下支持部材、からなる操舵手段によって、
前記前輪を前記ハンドル軸の前方から前記ハンドル軸回りに回動し、操舵することを特徴とする請求項１乃至５のいずれか１に記載の走行安定二輪車。
【請求項７】
前記前後支持部材に替えて、前記縦部材の下部が後方に延びて、その下端部が前記ハンドル軸及び/または前フォークに結合し、
前記上下支持部材の上部が前記縦部材の下部に結合していることを特徴とする請求項１乃至５のいずれか１項に記載の走行安定二輪車。
【請求項８】
前記前後支持部材が上下２段の支持板からなり、該上下２段の支持板の後端部がヘッドチューブから突出するハンドル軸の上下の両端部に結合され、かつ該上下２段の支持板の前端部が前記縦部材に結合されていることを特徴とする請求項１乃至７のいずれか１項に記載の走行安定二輪車。
【発明の詳細な説明】
【技術分野】
【０００１】
本発明は、後輪部に左右連動するトレーリングアームとストラットからなるトレーリング式の懸架装置に補助輪を設け、ハンドル軸の上方であり、平面視でハンドルバーの略回転操作移動枠内、かつ前輪操舵時の非可動部に幼児用の前補助椅子及び/または前荷台用スペースを設けると共に、前輪操舵軸の前方から操舵可能にして、二輪車の軽快性を損なうことなく、転倒防止機能を高め、運転操作者の膝と前補助椅子及び/または前荷台との干渉を防止して、前後に幼児２人を乗せた３人乗りにも供する安全性の高い走行安定二輪車（以下「二輪車」という。）に関する。
【背景技術】
【０００２】
自転車は、軽量安価で機動性が高く、買い物や、母親等による幼稚園児の送迎等に使用
されているが、自転車の定員は、安全性の観点から道路交通法に基き都道府県公安委員会
規則で、運転する大人のほかに幼児用座席に６歳未満の幼児１人の同乗が認められ、更に東京都などでは、幼児１人を背負って運転することも認められているが、定員に違反した場合には道交法違反で２万円以下の罰金または科料の対象となっている。
【０００３】
しかし、実際には多くの母親等が幼稚園児の送迎や買い物等において３人乗りをするケ
ースも多く、少子社会の育児支援や、女性の社会進出の観点等、幼児２人の同乗まで認め
るべきとの社会的要請も少なくないことから、警察庁で検討がなされ、３人乗りをしても
安定した構造の自転車であれば母親の前後に２人を乗せることも容認する方向で検討する
ことになり、同庁は自転車産業振興協会等の関係団体に材質や構造、価格の面から３人乗
り自転車の普及の可能性について検討を要請する等、３人乗りをしても安定した構造の自
転車の開発が急がれることとなった。
【０００４】
下記特許文献１には、後輪の左右に後輪と並列に配置された補助輪を備え、該左右の補
助輪は、前端が３角状枠体に枢支され後端側が上下し得るトレーリングアームの後端部に
回転自在に軸支され、該トレーリングアームを、前記補助輪が下向きに移動する回動の向
きに付勢する左右独立した付勢手段と、前記トレーリングアームの左右それぞれの回動を
固定するアームロック手段とを具え、該アームロック手段の操作により、前記トレーリン
グアームの回動を固定し補助輪の上下動を固定する自転車が開示されている。
【０００５】
また、下記特許文献２には、前補助椅子を自転車の前輪ハンドル上方でかつハンドルの運転操作時の非可動部であるヘッドチューブに設置して、ハンドルの運転操作に影響のないとされる前補助椅子が開示されている。
【先行技術文献】
【特許文献】
【０００６】
【特許文献１】特開２００７−１４５３１８号公報
【特許文献２】特開２００７−３３１７２９号公報
【発明の概要】
【発明が解決しようとする課題】
【０００７】
しかしながら、走行安定性が高いとされる３輪自転車は重量が重く、構造が複雑で値段が高くなり、都市部等の狭い道路には不向きで二輪車の有する軽快性がなく、かつ大きな駐輪スペースが必要となって、従来の駐輪スペースでは対応できないという問題がある。
【０００８】
図９は、上記特許文献１に記載の従来例に係る補助輪付き二輪車の側面図であり、図
１０は図９に記載の補助輪付き二輪車の補助輪部の拡大斜視図である。
【０００９】
図９、１０に示されるように、この補助輪付き二輪車５００は、可動式の大きな３角
状の枠体５１０を備え、この３角状の枠体５１０とトレーリングアーム５２０の間にスト
ラット５５０を設け、かつトレーリングアーム５２０にはディスクロータ５３０を、３角
状の枠体５１０にはキャリパー５４０を備え、またハンドルレバー５６０部には、ディス
クロータ５３０の回動を固定して、補助輪ＲＲの上下動を固定するための２連式係合部が
設けられている。
【００１０】
そのため、構造が複雑で高価となり、また転倒防止のための補助輪の上下動の固定と、
その固定の解除をハンドルレバー５６０でタイミングを失することなく的確に行うのは難
しいと考えられる。また補助輪による転倒防止機能を高めるためには、補助輪ＲＲの前後
位置は後輪ＲＷの位置より前方に配置するのが好ましいが、３角状の枠体５１０を設けて
いるため、トレーリングアーム５２０の長さが制約を受け短いため、補助輪ＲＲを後輪Ｒ
Ｗより前方に配置することは、トレーリングアーム５２０の長さが更に短くなり困難であると考えられる。またトレーリングアーム５２０の支軸５６０の上下位置が高く、トレーリングアームの前後傾斜が大きく、ストラット５５０の取付け位置も、支軸５６０に近いので、ストラット５５０の負荷が大きくなりストラット５５０が大型となることが考えられる。
【００１１】
また、上記特許文献２に記載の自転車については、図１１に側面図、図１２（Ａ）に正面図、（Ｂ）に平面図、（Ｃ）にハンドルを左側にフル操作したときの平面図が示されているが、前補助椅子６５０は、補助椅子座台６５１と、該補助椅子座台を自転車６００に固定するための補助椅子取付台６５２とから構成されており、該補助椅子取付台６５２は、ハンドル操作時の非可動部であるヘッドチューブ６３０とメインフレーム６４０に、補助椅子取付台６５２のその取付台底板６５３に設けられた前後の取付固定材６５４、６５５と、バンド部材６５６、６５７とを使用して不図示のボルト・ナットで固定されている。
【００１２】
また、取付台５６２と取付台底板６５３との間には前側の支柱板６５８、後側の支柱板６５９が設けられている。そしてハンドルバー６１０を左右に大きく回転操作すると、ハンドルバー６１０の下部が、正面の支柱板６５８または後側の支柱板６５９に干渉して、操作角が規制される。ハンドルを左側に操作した図１２（Ｃ）において、ハンドルバー６１０の下部左側が後側の支柱板６５９に干渉し、この時の操舵角は約４５度とされている。
【００１３】
従来の自転車のフル操作角は、９０度を超えるように設計されているが,特許文献２に
記載の自転車はフル操作角が小さくて、従来の自転車に慣れたユーザにとって、違和感が
あるのみならず、安定性に欠けることが懸念される。
【００１４】
また、ハンドルバーに装着した前補助椅子に幼児を乗せた自転車の場合には、ハンドル軸回りの慣性モーメントが大きくなり、特に低速走行時の安定性に欠ける。またこの走行安定性の問題はハンドルバーに装着した荷物籠に荷物を積載した自転車についても全く同一である。またハンドル軸の後方でメインフレームの先端部に前補助椅子を装着した自転車は、ペダル操作時に膝が前補助椅子に干渉し、特にスカートを着装した女性には不向きである。
【００１５】
本発明は、係る問題点に鑑みて、鋭意研究・検討の結果なされたものであり、簡単な構
造にして、二輪車の軽快性を損なうことなく、転倒防止機能を高め、前後に幼児２人を乗
せた３人乗りにも供する安全性の高い二輪車の提供を目的とするものである。
【課題を解決するための手段】
【００１６】
上記目的を達成するための第１の発明は、後輪部に左右連動のトレーリングアームとストラットを備えたトレーリングアーム式懸架装置に補助輪を設けた二輪車において、該トレーリングアームを回動自在に支持するための支軸が、側面視でチエンステイの下部であり、後輪タイヤの外径線の外前側、かつ平面視で左右のペダル及びクランクアームのそれぞれの回転軌跡の内幅間隔内に設けられ、また前記トレーリングアームが略水平に配置され、前記ストラットの上部が、前記チエンステイ及び/またはその他の後部車体部材に直接またはブラケットを介して取付けされ、下部が前記トレーリングアームに取付けされていることを特徴とする二輪車である。
【００１７】
ストラットの上部のチエンステイと後フォークへの固定は、補強ブラケットを設け、そ
のブラケットにストラットの上部を取付ける小ブラケットを設けてもよいし、前記補強ブ
ラケットに替えていわゆるエンドプレートを大型化してストラットの上部を取付けるよう
にしてもよい。補助輪のトレッド（左右間隔）は従来の自転車のペダルの外端間隔からハンドルバーの外端間隔の範囲に納めればよい。
【００１８】
第２の発明は、第１の発明において、前記左右のトレーリングアームには、その後端部外側に、前記補助輪を回転自在に支持する車軸が左右方向に交差して固定され、該車軸の前方にストラットの下部を取付ける取付部材が設けられ、また、左右のチエンステイの下面に直接または支持部材を介して円筒が左右方向水平に取付けされ、該円筒内に、前記トレーリングアームを回動自在に支持するための支軸が挿通され、該支軸の両端部に、前記左右のトレーリングアームの前端部がそれぞれ回動不能に固定されていることを特徴とする二輪車である。
【００１９】
トレーリングアームの前端部の左右外幅は走行時のペダルと干渉しないように小さく抑
えながらトレーリングアームの地上高を確保する。トレーリングアームの断面形状は矩形、円形、楕円形等種々の形状を選定することができる。また平面視形状は、ハの字に限定されるものではなく後方に行くにつれて拡幅除変部と平行部とを組合せた形状としてもよい。
【００２０】
第３の発明は、第１または第２の発明において、前記ストラットは、上側と下側の２つの閉鎖板によってその上下端部が閉鎖された円筒体と、該内筒体の軸芯部に配置され、上端側が前記内筒体の上側の閉鎖板を貫通し、上端部にマウント部品が取付けられるロッドと、該ロッドの下端部に固定され、該円筒体の内面を軸方向に摺動するピストンと、前記円筒体の上側の閉鎖板と上側のマウント部品との間で、前記ロッドが軸芯を貫通するように設けられたバネ部材とを有し、該ストラットの圧縮にしたがって荷重―タワミ特性が非線形に立上ることを特徴とする二輪車である。
補助輪の上向きの移動量が小さいとき、即ち転倒の恐れのない傾斜角の小さいときは、バネ定数を小さくして、二輪車の走行に必要な傾斜が拘束されないようにし、傾斜角の大きいときは、転倒防止を図るため上向きの荷重―タワミ特性を非線形に立上げる。ストラットは二輪車の左右に設けてもよいし、左右のいずれか片側に設けてもよい。またストラットの上下のマウント部品はスタッドタイプに限定されるものではなく、ラバーブッシュを組込んだ目玉タイプでもよい。
【００２１】
バネ部材は非線形の荷重―タワミ特性が得られるラバー製とし円筒形、断面台形の筒状、算盤玉の連接形状またはその一体形状等種々の形状を選定することができる。特に傾斜角の小さいときのバネ定数を小さくするために発泡ラバーを使用し、傾斜角の大きくなった時に非線形特性を強めてロール剛性を上げて転倒防止を図るため、スプリングラバーと同芯に小径の円筒状のラバーを挿入・併設するとよい。また走行抵抗が減少するように、直進（直立）走行時に、補助輪が浮上り接地しないようにしてもよい。
【００２２】
第４の発明は、第１乃至第３のいずれか１の発明において、左右のスタンドアームの上下方向の略中央部から側面視で前方に略Ｊ字状に延びる固定面が形成された固定部材付きのスタンドを備え、前記二輪車を該スタンドにより直立させると、前記固定部材の固定面が、前記左右のトレーリングアームの後端部において左右方向に交差し内側に延びる支持部材または前記補助輪の車軸を押下げまたは押下げないで前記後輪と補助輪が接地した直進走行状態のままで固定し、前記左右の補助輪の上向き移動を固定して、該補助輪が前記二輪車の転倒防止に寄与することを特徴とする二輪車である。
【００２３】
スタンドアームは側面視で折曲げて、スタンドにより二輪車を直立させたとき、スタンドアームは接地しないで、補助輪のみが接地するようにしてもよいし、補助輪と後輪の両方が接地するようにしてもよい。
【００２４】
第５の発明は、第１乃至第４のいずれか１の発明において、レバー操作により一の端面が多段の段付きカムの作用面と近接または離間するように回動するハンドルレバーが取付けられた第１ケースと、該第1ケースと接合し、その接合面に直交するように略中央部にガイド孔の設けられた第２ケースと、該第２ケースのガイド孔に嵌挿され該ガイド孔の軸方向に摺動し、前記第２ケース内側に位置する端部に前記多段の段付きのカムが固定されたロッドと、前記第２ケースの外側に位置する前記ロッドの他端部に固定された操作ボタンと、該操作ボタンと前記第２ケースの外壁との間に設けられ、前記カムを前記ハンドルレバーの一の端面と離間させるスプリングを備え、前記ハンドルレバーをグリップ操作しながら、前記操作ボタンをプッシュ操作し、その後前記ハンドルレバーのグリップ操作を解除すれば、前記ハンドルレバーの一の端面と前記カムの作用面とが係合して、前記前輪及び/または後輪の制動状態が維持され、その後再度前記ハンドルレバーをグリップ操作すれば前記係合が外れて、該前輪及び/または後輪の制動状態が解除されることを特徴とする二輪車である。
【００２５】
この駐輪ブレーキ操作装置は、前輪用と後輪用の両方またはいずれか一方を設けてもよいし、１つの操作レバーで前後の両輪を制動できる２連式としてもよい。
【００２６】
第６の発明は、第１乃至第５のいずれか１の発明において、ハンドル軸の上方であり、平面視デハンドルバーの略回転操作移動枠内かつ前輪操舵時の非可動部に、幼児用の前補助椅子及び/または前荷台用スペースを設け、上端部がハンドルバーに結合された縦部材と、該縦部材の下端部から後方へ延び、前端部が該縦部材に結合され、後端部が前記ハンドル軸及び/または前フォークに結合された前後支持部材と前記ハンドル軸に回転不能に結合された前フォークに加え、前記縦部材と一体的に構成され、または上端部が前記前後支持部材を介して前記縦部材に結合され、下端部に前車軸が結合された上下支持部材、からなる操舵手段によって、前記前輪を前記ハンドル軸の前方から前記ハンドル軸回りに回動し、操舵することを特徴とする二輪車である。
【００２７】
第７の発明は、第１乃至第５のいずれか１の発明において、前記前後支持部材に替えて、
前記縦部材の下部が後方に延びて、その下端部が前記ハンドル軸及び/または前フォークに結合し、前記上下支持部材の上部が前記縦部材の下部に結合していることを特徴とする二輪車である。
【００２８】
第８の発明は、第１乃至第７のいずれか１の発明において、前記前後支持部材が上下２段の支持板からなり、該上下２段の支持板の後端部がヘッドチューブから突出するハンドル軸の上下の両端部に結合され、かつ該上下２段の支持板の前端部が前記縦部材に結合されていることを特徴とする二輪車である。
【００２９】
縦部材は、中実でも中空でもよく、また１本でも複数本でもよい。また上下２段の支持板の間に斜部材または外側部に板状材を追加して補強するのも有効である。
【００３０】
メインフレームはリヤチューブと一体にしてもよい。また複数本にしてもよいし、断面は、丸のみならず、角にしてもよいし、２重管構造にしてもよい
【発明の効果】
【００３１】
第１の発明は、後輪部に左右連動のトレーリングアームとストラットを備えたトレーリングアーム式懸架装置に補助輪を設けた二輪車において、該トレーリングアームを回動自在に支持するための支軸が、側面視でチエンステイの下部であり、後輪タイヤの外径線の外前側、かつ平面視で左右のペダル及びクランクアームのそれぞれの回転軌跡の内幅間隔内に設けられ、また前記トレーリングアームが略水平に配置され、前記ストラットの上部が、前記チエンステイ及び/またはその他の後部車体部材に直接またはブラケットを介して取付けされ、下部が前記トレーリングアームに取付けされていることを特徴とする二輪車であるから、従来の二輪車の形態を損なうことなく、転倒防止機能を向上することができる。
【００３２】
また、従来の二輪車に対して、全体の大きさ（全長・全高・全幅）が変わらず、重量の増分が小さく、現行法規が定める普通自転車のサイズ（長さ１９０ｃｍ、幅６０ｃｍ）に適合させることができ、駐輪時等の取扱いや駐輪スペースが従来の二輪車と略同じである。補助輪の左右間隔（トレッド）を、左右のペダルの外端間隔と同等にすれば、狭い通路を容易に走行でき、ハンドルバーの外端間隔と同等にすれば、より高い転倒防止機能が得られる。
【００３３】
第２の発明は、第１の発明において、前記左右のトレーリングアームには、その後端部外側に、前記補助輪を回転自在に支持する車軸が左右方向に交差して固定され、該車軸の前方にストラットの下部を取付ける取付け部材が設けられ、また、左右のチエンステイの下面に直接または支持部材を介して円筒が左右方向水平に取付けされ、該円筒内に、前記トレーリングアームを回動自在に支持するための支軸が挿通され、該支軸の両端部に、前記左右のトレーリングアームの前端部がそれぞれ回動不能に固定されていることを特徴とする二輪車であるから、ペダル・ペダルアームとトレーリングアームの前端部との干渉を避けながら、補助輪の左右方向及び上下方向の入力荷重に対して、単純な構造にして、充分な強度・剛性を有する。
【００３４】
第３の発明は、第１または第２の発明において、前記ストラットは、上側と下側の２つの閉鎖板によってその上下端部が閉鎖された円筒体と、該内筒体の軸芯部に配置され、上端側が前記内筒体の上側の閉鎖板を貫通し、上端部にマウント部品が取付けられるロッドと、該ロッドの下端部に固定され、該円筒体の内面を軸方向に摺動するピストンと、前記円筒体の上側の閉鎖板と上側のマウント部品との間で、前記ロッドが軸芯を貫通するように設けられたバネ部材とを有し、該ストラットの圧縮にしたがって荷重―タワミ特性が非線形に立上がることを特徴とする二輪車であるから、二輪車の傾斜走行が損なわれることがなく転倒防止機能を高めることができるという効果がある。特にバネ部材に発泡ラバーを使用することによって、補助輪の上向き移動の小さい時のバネ定数を小さくすることが可能となり傾斜走行が損なわれることがない。さらにスプリングラバーと同芯に小径のラバーを挿入・併設すれば傾斜角の大きくなった時に非線形特性が強くなりロール剛性が上がって転倒防止が図られる。また直進（直立）走行時に、補助輪が浮上り接地しないようにすれば、走行抵抗が減少するという効果が得られる。
【００３５】
第４の発明は、第１乃至第３のいずれか１の発明において、左右のスタンドアームの上下方向の略中央部から側面視で前方に略Ｊ字状に延びる固定面が形成された固定部材付きのスタンドを備え、前記二輪車を該スタンドにより直立させると、前記固定部材の固定面が、前記左右のトレーリングアームの後端部において左右方向に交差し内側に延びる支持部材または前記補助輪の車軸を押下げまたは押下げないで前記後輪と補助輪が接地した直進走行状態のままで固定し、前記左右の補助輪の上向き移動を固定することを特徴とする二輪車であるから、スタンドの接地幅より広い補助輪が踏張って二輪車の転倒防止に寄与するので、駐輪時の転倒事故が防止されるという効果がある。またスタンドアームの形状を変更して、二輪車を直立させたとき補助輪のみが接地し、スタンドアームが接地しないようにしても同様の効果が得られる。
【００３６】
第５の発明は、第１乃至第４のいずれか１の発明において、ハンドルバー部に前輪及び/または後輪用の駐輪ブレーキ操作装置を備え、前記前輪及び/または後輪の制動状態を維持することができることを特徴とする二輪車であるから、二輪車をスタンドで直立させたとき補助輪のみが接地するようにした場合は、前輪の制動力により、補助輪と後輪の両方が接地するようにした場合には、前輪及び/または後輪の制動力により、または補助輪とスタンドが接地するようにした場合は、前輪の制動力及び/またはスタンドの制動機能によって、二輪車の移動を固定して、転倒事故を防止できるという効果がある。
【００３７】
第６の発明は、第１乃至第５のいずれか１の発明において、ハンドル軸の上方であり、平面視でハンドルバーの略回転操作移動範囲内、かつ前輪操舵時の非可動部に、幼児用の前補助椅子及び/または前荷台用スペースを設け、上端部がハンドルバーに結合された縦部材と、該縦部材の下端部から後方へ延び、前端部が該縦部材に結合され、後端部が前記ハンドル軸及び/または前フォークに結合された前後支持部材と、前記ハンドル軸に回転不能に結合された前フォークに加え、前記縦部材と一体的に構成され、または上端部が前記前後支持部材を介して前記縦部材に結合され、下端部に前車軸が結合された上下支持部材、からなる操舵手段によって、前記前輪を前記ハンドル軸の前方から前記ハンドル軸回りに回動し、操舵することを特徴とする二輪車であり、第７の発明は、第１乃至第５のいずれか１の発明において、前記前後支持部材に替えて、前記縦部材の下部が後方に延びて、その下端部が前記ハンドル軸及び/または前フォークに結合し、前記上下支持部材の上部が前記縦部材の下部に結合していることを特徴とする二輪車であり、第８の発明は、第１乃至第７のいずれか１の発明において、前記前後支持部材が上下２段の支持板からなり、該上下２段の支持板の後端部がヘッドチューブから突出するハンドル軸の上下の両端部に結合され、かつ該上下２段の支持板の前端部が前記縦部材に結合されていることを特徴とする二輪車であるから、フル操舵角も従来の二輪車と同様に９０度以上あり、サドルとハンドルバーとの間に大きなスペースが得られ、このスペース内の運転操舵時の非可動部に前補助椅子等を装着した場合は、前補助椅子等によって、ハンドル軸回りの慣性モーメントが増加することがなく低速時でも安定性に優れる。またこのスペース内の運転操舵時の可動部（ハンドルバー等）に前補助椅子等を装着した場合でも運転操作者の膝と前補助椅子等との干渉がなく安全である。
【００３８】
また、サドルに対する左右のグリップの位置、ハンドル軸の位置・傾斜角、前輪のトレールが従来の二輪車と同じであるので、従来の二輪車と略同じ運転・操作感覚が得られる。
【００３９】
従来の二輪車に対して、全体の大きさ（全長・全高・全幅）が変わらず、また重量の増分が小さく、現行法規が定める普通自転車のサイズ（長さ１９０ｃｍ、幅６０ｃｍ）に適合させることができ、駐輪時等の取扱いや駐輪スペースが従来の二輪車と略同じである。
【００４０】
また、縦部材を二輪車の中心軸に対して左右対称に配置した２本または３本配置すれば、意匠上のバランスがよく、これを骨格として幼児等用の雨除け、日除けシート用の幌を装着することができる。第８の発明は、支持板を上下２段にしているので簡単な構造にして、ハンドル軸回りの高い剛性を確保することができる。
【００４１】
本発明は、いわゆる自転車に限定されるものではなく、電動自転車、原動機付き自転車
、自動二輪車等の二輪車に広く適用される。なお、タイヤのサイズを小さくすれば、重心高を低くできるので、安定性がさらに向上させることができる。
【図面の簡単な説明】
【００４２】
【図１】本発明の実施例１に係る二輪車の側面図である。
【図２】図１の後輪及び補助輪部の説明図である。
【図３】図２に係る平面図である。
【図４】図２に係る側面図であり、第１実施例に係る二輪車の後面を図示したものである。
【図５】本発明の実施例１に係るトレーリングアームの支軸部を説明するための平面視断面図である。
【図６】本発明の実施例１に係るストラットの断面図である。
【図７】本発明の実施例１に係る駐輪ブレーキ装置のハンドルレバー部の説明図であり、（Ａ）は側面図、（Ｂ）は図ＡのＸ―Ｘ断面図である。
【図８】本発明の実施例２に係る前補助椅子を装着した二輪車の説明図であり、（Ａ）は側面図、（Ｂ）は図ＡのＸ矢視図、（Ｃ）は図ＡのＹ矢視図である。
【図９】従来例に係る補助輪付き二輪車の側面図である。
【図１０】図９の補助輪部の拡大斜視図である。
【図１１】従来例に係る前補助椅子を装着した二輪車の側面図である。
【図１２】図１１の二輪車の（Ａ）は正面図、（Ｂ）は平面図、（Ｃ）はハンドルを左にフル操舵した時の平面図である。
【発明を実施するための最良の形態】
【００４３】
以下、図に基いて、本発明の実施形態について説明する。なお、図面は、公知部分、発
明の要旨に直接関係のない部分、記載することにより反って煩雑となって不明瞭となる部
分については、省略乃至簡略化している。
【実施例１】
【００４４】
図１は、本発明の実施例１に係る二輪車の側面図であり、前輪部は従来の自転車と同じである。図２は、図１の後輪及び補助輪部の説明図であり、図３は、図２に係る平面図、図４は、図２に係る側面図であり、実施例１に係る二輪車の後面を図示したものである。
【００４５】
図1乃至４において、１１０はチエンステイ、１２０は後フォーク、１１６はペダル、
１１４はチエンであり、従来の自転車と変わりはない。
【００４６】
１４１は断面矩形の角型鋼管製の左右一対からなるトレーリングアーム、ＲＲは補助輪
、１５０はチエンステイ１１０及び後フォーク１２０とトレーリングアーム１４１との間
に配置され補助輪ＲＲに加わる荷重を支持するストラットである。
【００４７】
トレーリングアーム１４１は、側面視で前部と略中央部の２箇所で折曲げられ、平面視
で略ハの字状をなし、前端部には支軸に固定するための目玉状の取付け部材１４１５がボルト・ナットで取付けされている（詳細後述）。
【００４８】
そして、トレーリングアーム１４１の後部には車軸１４１２が左右方向に貫通してトレ
ーリングアーム１４１の左右の縦壁に溶接固定され、車軸１４１２に補助輪ＲＲが回転自
在に軸支されている。
【００４９】
１１５は、トレーリングアーム１４１の取付け部材１４１５が固定された支軸をチエンステイ１１０側に回動自在に軸支するための円筒であり、チエンステイ１１０の下面に３枚のプレート１１３１、１１３２、１１３３からなる支持部材１１３を介して溶接固定されている。
【００５０】
１４１１は中央に車軸１４１２が貫通する孔の設けられた碗状の補強板であり、孔の周
囲は車軸１４１２と、外周部はトレーリングアーム１４１の外側の縦壁に溶接されている
。１４１４はストラット１５０の下側を支持するための鋼板製のプレス成形されたブラケ
ットであり、トレーリングアーム１４１の外側の縦壁に溶接されている。
【００５１】
１４１３は、トレーリングアーム１４１を貫通し、左右方向内側に突き出し、トレーリ
ングアーム１４１の左右の縦壁に溶接固定された丸棒鋼製の支持ロッド（詳細、後述）で
ある。
【００５２】
１２１はストラット１５０の上側を支持するための鋼板製のプレス成形されたブラケッ
トであり、チエンステイ１１０と後フォーク１２０に溶接固定された鋼板製のプレス成形
された断面コの字状の補助ブラケット１２２の外側面に溶接固定されている。トレーリン
グアーム１４１の前・後端部は開放端としているが、樹脂製等のエンドキャップを取付け
てもよいし、金属製プレートを溶接して閉鎖構造としてもよい。
【００５３】
補助輪ＲＲは、空気入りタイヤとスポークホイールとからなり、平軸受け、ころ軸受け
、玉軸受け等のいずれかを介して車軸１４１２に回転自在に軸支されている。補助輪ＲＲ
は外径を大きくすると、重くコスト高となり、小さくすると地上高が小さくなるので、後
輪ＲＷの１/２程度にするのが好ましい。なお、車軸１４１２は地上高を大きくするため
にトレーリングアームの下面に固定してもよい。
【００５４】
車軸１４１２の前後位置は、補助輪ＲＲと、スタンドアーム１６１、ロックプレート１
６２の操作用のロッド１６２１等のスタンド操作部品との間隙を確保してスタンド１６０の操作性を損なうことのないように後輪ＲＷの軸芯より前方に配置している。なお、トレーリングアーム１４１の前端部の支軸１４２の位置は側面視で、後輪の外径線より外かつ前側に配置し、トレーリングアーム１４１の長さを長くしているので、補助輪ＲＲの車軸１４１２の前後位置は図１、２に示した位置よりさらに前方に移すことが可能である。
【００５５】
１１１は後輪ＲＷの軸芯部に取付けられた鋼板製のプレス成形されたエンドプレートで
あり、従来の自転車のエンドプレートと変わりはない。１６２は鋼板製のプレス成形され
たロックプレートであり、支軸１６１３によりスタンドアーム１６１に回動自在に軸支さ
れ、エンドプレート１１１のハンガー片１１１１とロックプレート１６２のハンガー片１
６２２の間にハンガースプリング１１２が張設され、ロックプレート１６２を前方に倒し
たときに、従来の自転車と同様にスタンド１６０が直立状態に拘束される。
【００５６】
本実施の形態においては、補助輪ＲＲが後輪ＲＷの外側に平行に配置されているために、
補助輪ＲＲによって、ロックプレート１６２の操作が、制約されるためロックプレート１
６２の外面にロッド１６２１を設けて、ロックプレート１６２の操作が、補助輪ＲＲによ
って制約されることを排除している。なおストラット１５０の上側の支持のために補助ブ
ラケット１２２を設けているが、これに替えてエンドプレート１１１を大型化してそれに
支持するようにしてもよい。
【００５７】
１６１１はスタンドアーム１６１の側面から左右方向外側に延び、さらに側面視で前方
に略Ｊ字状に延び、スタンドアーム１６１の上下の略中央部に溶接固定されたフックであ
り、二輪車を、スタンドにより直立させるときトレーリングアーム１４１の支持ロッド１
４１３を押下げて、または押下げないでそのままの状態で補助輪ＲＷの上向き移動を固定する。
【００５８】
１６１４はフック１６１１の下面に設けられた円弧状の窪みであり、フック１６１１と
支持ロッド１４１３の係合時に節度感を付与し、小さい前後力による不容易な係合の離脱
を阻止するものである。
【００５９】
二輪車を駐車する手順は、従来の自転車と同様であり、スタンドを押下げ（踏み下げ）
、スタンドアーム１６１を接地させ上記の節度感の得られるところまで、後荷台フレーム
１２４部を後方に持上げるようにして、二輪車を直立させる。そしてロックプレート１６
２のロッド１６２１を押下げてロックする。これによりフック１６１１が、支持ロッド１
４１３を押下げて、または押下げないでそのままの状態で、補助輪ＲＲの上向き移動が固定されるので、スタンドアーム１６１の接地幅より広い左右の補助輪ＲＲによって有効に転倒防止が図られる。
【００６０】
また、スタンドアームの形状を変更し（図２、１６１’）、二輪車を直立させた時、ス
タンドアームが接地することなく、支持ロッド１４１３を押下げまたは押下げることなく
補助輪と後輪が接地した直進走行状態のまま補助輪の上向き移動を固定し、補助輪ＲＲの
みが接地するようにしてもよいし、補助輪と後輪の両方が接地するようにしてもよい。
【００６１】
なお、図１、２、４において、ＧＬは二輪車の通常の直立静止時の前後輪の接地面、Ｇ
Ｌ′はスタンドにより直立させたときの補助輪及びスタンドアームの接地面を示している
。また、図２に示したスタンドの２点鎖線はスタンド１６０を跳ね上げた状態を示している。
【００６２】
図５は、本発明の実施例１に係るトレーリングアームの先端の支軸部を説明するための平面視断面図である。図５において、支軸１４２は左右端にネジ部が形成され、中央が拡径した摺接部１４２１を有し、摺接部１４２１の外側が、トレーリングアーム１４１の先端の取付け部材１４１５が回動不能に締結される４角部１４２２が形成されてる。
１４２４は円筒１１５とトレーリングアーム１４１の先端の取付け部材１４１５との間に挿入された平座金であり、１４２６はダストシール、１４２５、１４２７は平座金とバネ座金である。取付け部材１４１５は支軸１４２の４角部１４２２が嵌合するメスの４角部を有する鍛造成形品であり、トレーリングアーム１４１の前端にボルト・ナット１４１６で固定されている。
【００６３】
運転操作時のペダル１１６及びペダルアームと、トレーリングアーム１４１の前端部との干渉を避けるため、左右のトレーリングアーム１４１の前端部の左右外幅間隔を小さくしている。ストラット１５０は二輪車の左右の両側に取付けてもよいが左右のいずれか一方にのみ取付けて単純化することができる。
【００６４】
図６は、本発明の実施例１に係るストラットの断面図である。図６において、１５１は丸鋼管製の円筒体であり、１５２はロッド、１５３はロッド１５２の下端にナット１５２１で取付けられたピストンであり、１５４，１５５は円筒体１５１の上下の端部に取付けられる閉鎖板であり、円筒体１５１にビス１５４１、１５５１でネジ止めされている。
【００６５】
１５６はストラットの伸長時のストロークを規制するためのストッパーリングであり、下面にラバーシート１５６１が貼着され、円筒体の内面にビス１５６２でネジ止めされている。
【００６６】
１５７は補助輪に加わる上向き荷重を支持するスプリングラバーであり、円筒形の発泡ラバーで形成され、傾斜角の小さいときのバネ定数を小さくしている。また円筒状の発泡ラバーと同芯に小径の円筒ラバー１５７２を挿入・併設して、傾斜角の大きくなったときに非線形特性を強めロール剛性を上げて転倒防止を図っている。スプリングラバー１５７の形状は、円筒形に限られず断面台形の筒状、算盤玉の連接形状またはその一体形状等の形状を選定することができる。１５７１は、スプリンバー１５７の耐候性を向上するための円筒カバーであり、薄肉鋼管製または樹脂製である。１５２２、１５２３はダストシール、平座金である。
【００６７】
１５８、１５９はストラットの上下のマウント部品であり、図示したものは上下ともスタッド式であるが、ゴムブッシュ（カラー付き）を組み込んだ目玉式としてもよい。
【００６８】
図６に示した二輪車の直立直進状態から、補助輪ＲＲが上向きに、即ち上側のマウント部品１５８を基準にして、下側のマウント部品１５９、円筒体１５１が上向きに移動するとスプリングラバー１５７が、上向き移動量が大きくなるとスプリングラバー１５７と円筒ラバー１５７２の両方が圧縮変形して、所定の荷重―タワミ特性が得られる。
【００６９】
一方、補助輪ＲＲが下方に移動すると、即ちピストン１５３が円筒１５１内を上方へ移動していくと、ピストン１５３はストッパーリング１５６の下面に取付けられたラバーシート１５６１に当接して、ストラットの伸長量は規制され補助輪ＲＲの下向き移動量も規制される。なお、第１空気室１５１１と第荷２空気室の間に設けられているピストン１５３には連通孔１５３１が設けられているので、上下の閉鎖板１５４、１５５部のシール性
を確保すれば、ストラットの伸縮にともなって、減衰力を得ることができる。
【００７０】
上側の閉鎖板１５４を円筒体１５１と分割式にしているので、閉鎖板１５４、ストッパーリング１５６、ピストン１５３を取外せば、スプリングラバー１５７を交換することができるが、非分割式にしてもよい。なおストッパーリング１５６の円筒体１５１への取付けは、上側の閉鎖板と同一のビス１５４１を使用した共締めにすることもできる。
【００７１】
また、上記ラバーシート１５６１に替えて、２点鎖線示した断面台形の筒状の発泡ラバーを取り付けて、ストラット１５０の下向きの伸長量を規制して、直進（直立）走行時に、補助輪が浮上り接地しないようにしながら、スタンドのフック１６１１でトレーリングアーム１４１の支持ロッド１４１３を押し下げたときの補助輪の押下げを容易にして補助輪の上向き移動を拘束できるようにすることができる。
【００７２】
図７は、本発明の実施例１に係る駐輪ブレーキ装置のハンドルレバー部の説明図であり
、（Ａ）は側面図、（Ｂ）は図ＡのＸ―Ｘ断面図である。
【００７３】
図７において、１７１は内側のケース、１７２は外側のケースであり、ビス１７２１、
１７２２でハンドルバー１７８に固定され、ケース１７２にハンドルレバー１７３がピン
１７３１で回動自在に軸支されている。
【００７４】
１７４は多段に拡径した段付きのカムであり、カムの作用面１７４１にはハンドルレバ
ー１７３と係合したときにその係合が不用意に外れないように緩傾斜が設けられている。
１７５はロッドであり、ケース１７１のガイド孔１７１１に摺動可能に嵌挿されて、ケー
ス１７１の内側に位置するロッド１７５の端部にカム１７４が固定され、ケース１７１の
外側に位置するロッド１７５の他端部に操作ボタン１７６が固定されている。１７７は操
作ボタン１７６のリターン用のコイルスプリングである。
【００７５】
ハンドルレバー１７３をグリップ操作すると、ブレーキ用の策線が引張られて前輪または後輪に制動力が発生する。ハンドルレバー１７３をグリップ操作した状態で、操作ボタン１７６をプッシュすれば、カム１７４が軸方向に移動して、ハンドルレバー１７３の端面（係合面）１７３２とカムの緩傾斜の付けられたカム面１７４１とが係合し、操作ボタン１７６をプッシュした状態で、ハンドルレバー１７３のグリップ力を解除すれば、ハンドルレバー１７３は、カム１７４によって拘束され、制動力が維持される。ハンドルレバーの端面１７３２にもカム面１７４１に対応する緩傾斜が設けられているので、ハンドルレバーの端面１７３２とカム面１７４１との係合が不用意に解除されることはない。また、ハンドルレバー１７３を再度グリップ操作すれば、スプリング１７７の伸長力によって、ハンドルレバーの端面１７３２とカム面１７４１との係合が解除され、操作ボタン１７６は元の位置に戻り、制動力は解除される。
【００７６】
ハンドルレバーの端面１７３２は、ブレーキの策線の調整具合、或いはブレーキシュー
の摩耗状態に応じて多段のカム１７４の内のいずれかの作用面１７４１と係合し、所定の
制動力が確保される。
【００７７】
なお、駐輪ブレーキ操作装置はハンドルバーの左右いずれの側に設けてもよい。前輪用
と後輪用を左右別々に設けてもよいし、左右の片方のみで、前・後輪の両用としてもよい
。
【００７８】
二輪車をスタンドで直立させ、スタンドアームが接地することなく、補助輪と後輪が接地するようにしたときは、前輪のみならず後輪の駐車ブレーキの制動力によっても二輪車の前後移動を固定して転倒事故の防止を図ることができる。
【実施例２】
【００７９】
実施例２はハンドル軸の上方であり、ハンドルバーの略回転移動枠内、かつ前輪操舵時の非可動部に幼児用の前補助椅子や荷物籠用のスペースを設けると共に、ハンドル軸の前方からハンドルバーを操作するものである。
【００８０】
図８は、本発明の実施例２に係る前補助椅子を装着した二輪車の説明図であり、（Ａ）は側面図、（Ｂ）は図ＡのＸ矢視図、（Ｃ）は図ＡのＹ矢視図である。なお（Ｃ）は、ハンドルを左に９０度操作した時のハンドルバーと前補助椅子（幼児を含む）との間隙の説明図を兼ねている。
【００８１】
図８において、ハンドルバー２１３は、縦部材２１１、２１２と支持板２１５を介して、前フォーク２１７が固定されたハンドル軸２２０に接続されており、ハンドルバー２１３を左右に回転操作すると、縦部材２１１、２１２及び支持板２１５を介して前輪ＦＷを操舵することになる。
【００８２】
縦部材２１１、２１２はストレートの鋼管からなり、支持板２１５は、鋼板からなるプレス成形品であり、ハンドル軸２２０と縦部材２１１、２１２間に所定の前後間隔を保持し縦部材２１５を支持するための支持部材である。平面視略長方形をなし左右端は下方に折曲げられ（不図示）、後端部はハンドル軸２２０に固定される。また支持板２１５は、前フォーク２１７に隅肉溶接またはハンドル軸の４角（または６角等）部が嵌挿されナットにより回動不能に固定されている。
【００８３】
縦部材２１１、２１２の上端部は、従来の二輪車と同様にハンドルバー２１３の左右直線部にシャフト付きクランプ部材２１４によって、ハンドルバー２１３の上下の角度を調整可能に、またバンド部材によってハンドルバー２１３の高さを調整可能に固定されている。
【００８４】
ヘッドチューブ２３０は鋼管製であり、その内部に丸鋼材からなるハンドル軸が挿入
され、ヘッドチューブ２３０の上下の両端から、ヘッドチューブ２３０とハンドル軸の間
にそれぞれ玉軸受けが嵌入され（不図示）、ハンドル軸２２０はヘッドチューブ２３０に回転自在に支持されている。そして、ヘッドチューブ２３０の略中央部にメインフレーム１０１が相互の軸線が直交するように溶接結合されている。
【００８５】
前ステイ２１８、２１９によって、支持板２１５と前輪ＦＷの回転軸とが連結されることによって、ハンドルバー２１３や縦部材２１１、２１２を含むハンドル軸回りの支持剛性が十分に確保される。
【００８６】
２４０は前方向きの前補助椅子であり、中央に幼児Cが前向きにシートベルト２４１を装着してシートフレーム２４２上に着座している。２４３、２４４はヘッドチューブ２３０の前後に溶接固定した前補助椅子の固定部材であり、シートフレーム２４２はこの固定部材２４３、２４４を介してヘッドチューブ２３０に固定されている。
【００８７】
実施例２では固定部材２４３、２４４はメインフレームに溶接結合しているが、Ｕ字型クランプ部材とボルト・ナット等を使用してヘッドチューブ２３０に着脱可能に取り付けることもできる。
【００８８】
図Ｃにおいて、ハンドルバー２１３、縦部材２１１、２１２等の可動部分は、ハンドル軸２２０に対して前方に位置しており、ハンドルを直進状態から最大運転操作角まで操作しても可動部分はハンドル軸２２０回りに回動し、前補助椅子２４０や幼児Cと干渉することはない。
【００８９】
また、メインフレーム１０１の先端部はヘッドチューブ２３０の略中央部に、相互の軸
線が略直交するように溶接されているため、支持板２１５の回転軌跡内にはメインフレーム１０１の先端部は存在せず、支持板２１５がメインフレーム１０１の先端部と干渉することはない。
【００９０】
また、前補助椅子２４０は、ハンドル軸２２０の上方に設置され、固定部材２４３はハンドル軸２２０と略平行に所定の間隙が確保されているので、支持板２１５が、前補助椅子２４０または固定部材２４３と干渉することはない。
【００９１】
また、幼児Cが成長して頭部が図示の位置より高くなっても、頭部はハンドルバー２１
３とＹ矢視で所定の間隙が確保されているので、幼児の頭部がハンドルバー２１３と干渉
することはない。また前補助椅子２４０はハンドル軸２２０の上方に位置しているのでペダル操作時に、膝が前補助椅子２４０と干渉することはない。
【００９２】
また、縦部材２１１、２１２の位置を図示位置よりさらに前方に移せば、縦部材２１１、２１２及びハンドルバー２１３と前補助椅子２４０との間隙は直進走行時はもとより、９０度以上のフル操作時においても大きく確保することができ、前補助椅子２４０の位置をさらに前方に移動させることができる。
【００９３】
実施例２は、ハンドル軸２２０の前方より、ハンドル軸回りに前輪を操舵する構造であるから、ハンドル操作が前補助椅子（含幼児、荷物）等によってハンドル軸回りの慣性モーメントが増加することがなく、フル操作角も従来の二輪車と同様に９０度以上あるので、低速時でも走行安定性に優れている。
【００９４】
また、サドルに対する左右のグリップの位置、ハンドル軸の位置・傾斜角及びハンドル
操作の復元力に関係する前輪のトレールが従来の二輪車と同じであるので、従来の二輪車
と運転・操作感覚が略同じである。また従来の二輪車に対して、全体の大きさ（全長・全高・全幅）が変わらず、また重量の増分が小さく、現行法規が定める普通自転車のサイズ（長さ１９０ｃｍ、幅６０ｃｍ）に適合させることができ、駐輪時等の取扱いや駐輪スペースが従来の二輪車と略同じである。また補助輪の左右間隔（トレッド）を、左右のペダルの外端間隔と同等にすれば、狭い通路を容易に走行でき、ハンドルバーの外端間隔と同等にすれば、より高い転倒防止機能が得られる。なお、タイヤのサイズを小さくすれば、重心高を低くできるので、走行安定性をさらに向上させることができる。
【００９５】
また、実施例２は前補助椅子等を運転操作時の非可動部に装着しているので、ハンドル軸回りの慣性モーメントの増加が小さく、低速走行時の走行安定性が向上する。但し前補助椅子等を従来通りハンドル操作時の可動部に装着してもよいことは言うまでもなく、この場合でも補助輪によって走行安定性が向上することに加えて、前補助椅子等が従来より前方に装着されるので、運転操作者の膝と前補助椅子等が干渉することがなく、また前補助椅子の上下位置が低いので重心高が低下し安全性が向上する。
【００９６】
なお、実施例２において、前輪操舵は縦部材２１１、２１２から支持板２１５を介してハンドル軸２２０回りに前輪を回動させることにより行ったが、これに限定されるものではなく、縦部材２１１、２１２から直接ハンドル軸２２０または前フォーク２１７をハンドル軸２２０回りに回動するようにしてもよい。また前ステイ２１８、２１９は縦部材２１１、２１２と別体の分離型としたが一体とすることもできるし、縦部材は、１本でもよいし３本等の複数本でもよい。またメインフレーム１０１は側面視Ｓ字状のシングルフレームとしたが、複数本にしてもよいし、断面は、丸のみならず、角にしてもよいし、２重管構造にしてもよし、メインフレームとリヤチューブ１０２を連続した一体品にすることもできる。
【００９７】
また、実施例２では支持板２１５はハンドル軸２２０の下部と縦部材２１１、２１２の下部とを結合する１段式としたが、前補助椅子の上下位置を上方に上げて、ハンドル軸２２０の上部と縦部材２１１、２１２の上下の中央部とを結合する２段式としてもよい。この場合はハンドルバー２１３や縦部材２１１、２１２を含めたハンドル軸回りの支持剛性を容易に高めることができる。また前補助椅子を前向きとしたが、後向きにすることもできるし、前補助椅子と買い物籠を併設することもできる。
【符号の説明】
【００９８】
１００・・・二輪車
１０１・・・メインフレーム
１０２・・・リヤチューブ
１１０・・・チエンステイ
１１１・・・エンドプレート
１１１１・・・ハンガー片
１１１２・・・チエンテンショナー
１１２・・・ハンガースプリング
１１３・・・支持部材
１１３１・・・プレート
１１３２・・・プレート
１１３３・・・プレート
１１４・・・チエン
１１５・・・円筒
１１６・・・ペダル
１１７・・・車軸（後輪）
１２０・・・後フォーク
１２１・・・ブラケット（ストラット上側）
１２２・・・補助ブラケット
１２３・・・後荷台ステイ
１２４・・・後荷台フレーム
１３０・・サドル
１３１・・・サドルポスト
１４０・・・補助輪取付け装置
１４１・・・トレーリングアーム
１４１１・・・補助板
１４１２・・・車軸（補助輪）
１４１３・・・支持ロッド（支持部材）
１４１４・・・ブラケット（ストラット下側）
１４１５・・・取付け部材
１４１６・・・ボルト・ナット
１４２・・・支軸
１４２１・・・摺接部
１４２２・・・４角部
１４２３・・・ナット
１４２４・・・平座金
１４２５・・・平座金
１４２６・・・ダストシール
１４２７・・・バネ座金
１５０・・・ストラット
１５１・・・円筒体
１５１１・・・第１空気室
１５１２・・・第２空気室
１５２・・・ロッド（ピストン）
１５２１・・・ナット
１５２２・・・ダストシール
１５２３・・・平座金
１５３・・・ピストン
１５３１・・・連通孔
１５３２・・・Oリング
１５４・・・閉鎖板（上側）
１５４１・・・ビス
１５４２・・・Ｏリング
１５５・・・閉鎖板（下側）
１５５１・・・ビス
１５６・・・ストッパリング
１５６１・・・ラバーシート
１５６２・・・ビス
１５７・・・スプリングラバー（バネ部材）
１５７１・・・円筒カバー
１５７２・・・円筒ラバー
１５８・・・マウント部品(上側)
１５８１・・・マウントラバー
１５８２・・・ワッシャー
１５８３・・・ワッシャー
１５８４・・・間座
１５９・・・マウント部品（下側）
１６０・・・スタンド
１６１,１６１’・・・スタンドアーム
１６１１・・・フック（固定部材）
１６１２・・・支軸（スタンドアーム）
１６１３・・・支軸（ロックプレート）
１６１４・・・ 窪み
１６２・・・ロックプレート
１６２１・・・ロッド（ロックプレート）
１６２２・・・ハンガー片
１７０・・・駐車ブレーキ操作装置
１７１・・・ケース（第２ケース、内側）
１７１１・・・孔
１７２・・・レバーケース（第１ケース、外側）
１７２１・・・ビス
１７２２・・・ビス
１７３・・・ハンドルレバー
１７３１・・・ピン（加締め）
１７３２・・・端面（係合面）
１７４・・・カム（段付き）
１７４１・・作用面
１７５・・・ロッド
１７６・・・操作ボタン（プッシュボタン）
１７７・・・スプリング
１７８・・・ハンドルバー
２１０・・・ハンドル部材
２１１、２１２・・・縦部材
２１３・・・ハンドルバー
２１４・・・クランプ部材（シャフト付き）        
２１５・・・支持板（支持部材）
２１６・・・バンド部材
２１７・・・前フォーク
２１８、２１９・・・前ステイ（上下支持部材）
２２０・・・ハンドル軸
２２１・・・ナット
２２２・・・バネ座金
２３０・・・ヘッドチューブ
２４０・・・前補助椅子
２４１・・・シートベルト
２４２・・・シートフレーム
２４３、２４４・・固定部材
Ｃ・・・幼児
Ｐ・・・運転・操作者（母親）
ＦＷ・・・前輪
ＲＷ・・・後輪
ＲＲ・・・補助輪
【図１】
2010162943.tif 000003
【図２】
2010162943.tif 000004
【図３】
2010162943.tif 000005
【図４】
2010162943.tif 000006
【図５】
2010162943.tif 000007
【図６】
2010162943.tif 000008
【図７】
2010162943.tif 000009
【図８】
2010162943.tif 000010
【図９】
2010162943.tif 000011
【図１０】
2010162943.tif 000012
【図１１】
2010162943.tif 000013
【図１２】
2010162943.tif 000014